(57)【特許請求の範囲】
【請求項１】
地下に観測孔を掘削し、この掘削された観測孔に上下方向へ貫通した中空形状のインナケーシングを下蓋と一緒に挿入せしめ、この状態で観測孔の底から地表面より低い位置までに、前記観測孔の底および観測孔の内周と前記インナケーシングの外周との間にコンクリートをセメンチングし、前記インナケーシングの底部分に乾燥硅砂を敷き、この敷かれた乾燥硅砂に、傾斜計を吊りワイヤを用いて降下させて設置した状態で、乾燥硅砂を充填せしめ、次いで、前記コンクリートの上面より突出されたインナケーシングに、このインナケーシングより大きな上下方向へ貫通した中空形状のアウタケーシングを被せると共にこのアウタケーシングの上端を地表より突出させ、この突出されたアウタケーシングに上蓋を被せることを特徴とする傾斜計の設置方法。
【請求項２】
前記傾斜計が１ナノラジアンの分解能と、鉛直から±１０度の測定レンジを持つ自動レベリング機能と、温度計と、を備えていることを特徴とする請求項１記載の傾斜計の設置方法。
【請求項３】
前記インナケーシング、アウタケーシングがそれぞれ樹脂製のパイプからなることを特徴とする請求項１または２記載の傾斜計の設置方法。
【請求項４】
前記乾燥硅砂を前記傾斜計の下端から長さの約半分ないし５分の４程度まで充填せしめることを特徴とする請求項１、２または３記載の傾斜計の設置方法。
【請求項５】
前記アウタケーシング内にバッテリを収めると共に、このバッテリに接続されたソーラパネルは外部に設置されていることを特徴とする請求項１、２、３または４記載の傾斜計の設置方法。
【請求項６】
前記観測孔は深度１２ｍ程度に掘削されることを特徴とする請求項１、２、３、４または５記載の傾斜計の設置方法。
【請求項７】
地下に掘削された観測孔を形成せしめると共に、この観測孔内に上下方向へ貫通した中空形状のインナケーシングを下蓋と一緒に挿入せしめた状態で観測孔の底から地表面より低い位置までに、前記観測孔の底および観測孔の内周と前記インナケーシングの外周との間にコンクリートを形成せしめ、前記インナケーシングの底に乾燥硅砂を設け、この乾燥硅砂上に傾斜計を立設せしめると共にこの傾斜計の外周に乾燥硅砂を充填せしめ、前記コンクリートの上面より突出されたインナケーシングに、このインナケーシングより大きな上下方向へ貫通した中空形状のアウタケーシングを被せるべく設けると共にこのアウタケーシングの上端を地表より突出させた状態で、アウタケーシングに上蓋を被せるべく設けてなることを特徴とする傾斜計の設置構造。
【請求項８】
前記傾斜計が１ナノラジアンの分解能と、鉛直から±１０度の測定レンジを持つ自動レベリング機能と、温度計と、を備えていることを特徴とする請求項７記載の傾斜計の設置構造。
【請求項９】
前記インナケーシング、アウタケーシングがそれぞれ樹脂製のパイプからなることを特徴とする請求項７または８記載の傾斜計の設置構造。
【請求項１０】
前記アウタケーシング内にバッテリを収めると共に、このバッテリに接続されたソーラパネルは外部に設置されていることを特徴とする請求項７、８または９記載の傾斜計の設置構造。
【請求項１１】
前記観測孔は深度１２ｍ程度に掘削されることを特徴とする請求項７、８、９または１０記載の傾斜計の設置構造。
【発明の詳細な説明】
【０００１】
【発明の属する技術分野】
この発明は、地下に傾斜計を設置せしめる傾斜計の設置方法およびその設置構造に関する。
【０００２】
【従来の技術】
従来の傾斜計の設置方法は、図３に示されているように、地表面１０１から地下へ例えば最大設置深度５ｍの観測孔１０３を掘削せしめ、この掘削された観測孔１０３内に、下蓋１０５を装着した塩ビ等からなる上下方向へ延伸し貫通した中空形状のケーシング１０７を挿入せしめる。
【０００３】
ついで、前記観測孔１０３の内周とケーシング１０７の外周との間に地表面１０１からコンクリート１０９を流し込み、地表面１０１の位置まで流し込む。なお、コンクリート１０９は前記下蓋１０５の下まで流し込まれる。そして、コンクリート１０９が固まったら、ケーシング１０７内に僅かな乾燥硅砂１１１を充填せしめた状態で例えばワイヤ１１３などで傾斜計１１５を吊り下げながら降下せしめて前記乾燥硅砂１１１上に傾斜計１１５を吊り降ろす。この状態で乾燥硅砂１１１を傾斜計１１５の上面位置まで流し込んで充填せしめる。
【０００４】
前記ケーシング１０７内の上部にバッテリ１１７を挿入せしめた後、ケーシング１０７上に上蓋１１９が被せられる。しかも、前記傾斜計１１５とバッテリ１１７、このバッテリ１１７と地上に設けられたソーラパネル１２１とはケーブル１２３で接続されている。
【０００５】
なお、前記傾斜計１１５は従来よりよく知られた気泡式センサを有したもので、重量が１０Ｋｇ程度、直径が最小３０ｃｍおよび手動レベリング機能で、しかも方位は地表より計測するものであった。
【０００６】
【発明が解決しようとする課題】
ところで、上述した従来の傾斜計１１５を設置する方法では、最大５ｍの観測孔１０３であるため、コンクリート１０９は地表面まで流し込んでケーシング１０７を固定しているので、気温変化に伴うケーシング１０７の伸び縮みがそのまま地下に伝わり、傾斜計１１５にノイズを与える。その結果、気温変化が傾斜データに影響を与えて正確な傾斜データを得ることが難しかった。伸び縮みを伝えないためには、ケーシング１０７をまったくセメンチングしないことが考えられるが、防水の点で問題が生じる。
【０００７】
また、設置時に乾燥硅砂１１１を傾斜計１１５の高さまで満杯にして地表面１０１からロッドで乾燥硅砂１１１をつき固めていたため、傾斜計１１５を回収することが容易でなかった。
【０００８】
さらに、従来の傾斜計１１５には、自動レベリング機能がなく、手動レベリング機能であるため、測定レンジが±０．１５度と小さかった。
【０００９】
この発明の目的は、傾斜計にノイズを与えずに、気温変化を傾斜データに影響を与えないで正確な傾斜データを得ると共に、傾斜計を容易に回収できるようにした傾斜計の設置方法およびその構造を提供することにある。
【００１０】
【課題を解決するための手段】
上記目的を達成するために請求項１によるこの発明の傾斜計の設置方法は、地下に観測孔を掘削し、この掘削された観測孔に上下方向へ貫通した中空形状のインナケーシングを下蓋と一緒に挿入せしめ、この状態で観測孔の底から地表面より低い位置までに、前記観測孔の底および観測孔の内周と前記インナケーシングの外周との間にコンクリートをセメンチングし、前記インナケーシングの底部分に乾燥硅砂を敷き、この敷かれた乾燥硅砂に、傾斜計を吊りワイヤを用いて降下させて設置した状態で、乾燥硅砂を充填せしめ、次いで、前記コンクリートの上面より突出されたインナケーシングに、このインナケーシングより大きな上下方向へ貫通した中空形状のアウタケーシングを被せると共にこのアウタケーシングの上端を地表より突出させ、この突出されたアウタケーシングに上蓋を被せることを特徴とするものである。
【００１１】
したがって、観測孔の底から地表面より低い位置までに、前記観測孔の底および観測孔の内周と前記インナケーシングの外周との間にコンクリートをセメンチングし、地表面の上面までコンクリートをセメンチングせずに、空気の層を作ると共に、インナケーシングにアウタケーシングを被せて二重管にすることによって、気温変化におけるインナケーシングの伸び縮みを小さくし、傾斜計にノイズを与えずに、気温変化を傾斜データに影響を与えないで正確な傾斜データが得られる。
【００１２】
請求項２によるこの発明の傾斜計の設置方法は、請求項１記載の傾斜計の設置方法において、前記傾斜計が１ナノラジアンの分解能と、鉛直から±１０度の測定レンジを持つ自動レベリング機能と、温度計と、を備えていることを特徴とするものである。
【００１３】
したがって、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化がとらえられる。また、傾斜計をシビアに設置しなくても、鉛直から±１０度の範囲の傾斜が正確に測定される。さらに、センサ出力の温度補正をするための情報が得られる。
【００１４】
請求項３によるこの発明の傾斜計の設置方法は、請求項１または２記載の傾斜計の設置方法において、前記インナケーシング、アウタケーシングがそれぞれ樹脂製のパイプからなることを特徴とするものである。
【００１５】
したがって、インナケーシング、アウタケーシングがそれぞれ樹脂製のパイプからなっているから、地球磁場が容易に遮断され、耐腐食性が良好であるとともに、軽いから作業性が良好である。
【００１６】
請求項４によるこの発明の傾斜計の設置方法は、請求項１、２または３記載の傾斜計の設置方法において、前記乾燥硅砂を前記傾斜計の下端から長さの約半分ないし５分の４程度まで充填せしめることを特徴とするものである。
【００１７】
したがって、乾燥硅砂を前記傾斜計の下端から長さの約半分ないし５分の４程度まで充填せしめることにより、確実に傾斜計が固定されると共に、回収が容易に行われる。
【００１８】
請求項５によるこの発明の傾斜計の設置方法は、請求項１、２、３または４記載の傾斜計の設置方法において、前記アウタケーシング内にバッテリを収めると共に、このバッテリに接続されたソーラパネルは外部に設置されていることを特徴とするものである。
【００１９】
したがって、外部に設置されたソーラパネルよりバッテリが充電されると共に、バッテリにより傾斜計が自動的に作動し傾斜データが測定される。而して、電源装置がない例えば山奥等であっても設置して使用される。
【００２０】
請求項６によるこの発明の傾斜計の設置方法は、請求項１、２、３、４または５記載の傾斜計の設置方法において、前記観測孔は深度１２ｍ程度に掘削されることを特徴とするものである。
【００２１】
したがって、観測孔が深度１２ｍ程度に掘削され、この観測孔の底に傾斜計を設置することにより、センサは地温の季節変動をほとんど受けずに、より一層正確な傾斜データが測定される。
【００２２】
請求項７によるこの発明の傾斜計の設置構造は、地下に掘削された観測孔を形成せしめると共に、この観測孔内に上下方向へ貫通した中空形状のインナケーシングを下蓋と一緒に挿入せしめた状態で観測孔の底から地表面より低い位置までに、前記観測孔の底および観測孔の内周と前記インナケーシングの外周との間にコンクリートを形成せしめ、前記インナケーシングの底に乾燥硅砂を設け、この乾燥硅砂上に傾斜計を立設せしめると共にこの傾斜計の外周に乾燥硅砂を充填せしめ、前記コンクリートの上面より突出されたインナケーシングに、このインナケーシングより大きな上下方向へ貫通した中空形状のアウタケーシングを被せるべく設けると共にこのアウタケーシングの上端を地表より突出させた状態で、アウタケーシングの上面に上蓋を被せるべく設けてなることを特徴とするものである。
【００２３】
したがって、観測孔の底から地表面より低い位置までに、前記観測孔の底および観測孔の内周と前記インナケーシングの外周との間にコンクリートをセメンチングし、地表面の上面までコンクリートをセメンチングせずに、空気の層を作ると共に、インナケーシングにアウタケーシングを被せて二重管にすることによって、気温変化におけるインナケーシングの伸び縮みを小さくし、傾斜計にノイズを与えずに、気温変化を傾斜データに影響を与えないで正確な傾斜データが得られる。
【００２４】
請求項８によるこの発明の傾斜計の設置構造は、請求項７記載の傾斜計の設置構造において、前記傾斜計が１ナノラジアンの分解能と、鉛直から±１０度の測定レンジを持つ自動レベリング機能と、温度計と、を備えていることを特徴とするものである。
【００２５】
したがって、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化がとらえられる。また、傾斜計をシビアに設置しなくても、鉛直から±１０度の範囲の傾斜が正確に測定される。さらに、センサ出力の温度補正をするための情報が得られる。
【００２６】
請求項９によるこの発明の傾斜計の設置構造は、請求項７または８記載の傾斜計の設置構造において、前記インナケーシング、アウタケーシングがそれぞれ樹脂製のパイプからなることを特徴とするものである。
【００２７】
したがって、インナケーシング、アウタケーシングがそれぞれ樹脂製のパイプからなっているから、地球磁場が容易に遮断され、耐腐食性が良好であるとともに、軽いから作業性が良好である。
【００２８】
請求項１０によるこの発明の傾斜計の設置構造は、請求項７、８、または９記載の傾斜計の設置構造において、前記アウタケーシング内にバッテリを収めると共に、このバッテリに接続されたソーラパネルは外部に設置されていることを特徴とするものである。
【００２９】
したがって、外部に設置されたソーラパネルよりバッテリが充電されると共に、バッテリにより傾斜計が自動的に作動し傾斜データが測定される。而して、電源装置がない例えば山奥等であってもを設置して使用される。
【００３０】
請求項１１によるこの発明の傾斜計の設置構造は、請求項７、８、９または１０記載の傾斜計の設置構造において、前記観測孔は深度１２ｍ程度に掘削されることを特徴とするものである。
【００３１】
したがって、観測孔が深度１２ｍ程度に掘削され、この観測孔の底に傾斜計を設置することにより、センサは地温の季節変動をほとんど受けずに、より一層正確な傾斜データが測定される。
【００３２】
【発明の実施の形態】
以下、この発明の実施の形態を図面に基づいて詳細に説明する。
【００３３】
まず最初に本実施の形態に使用する傾斜計１について説明すると、図２を参照するに、傾斜計１は例えば直径６．４ｃｍ、高さ（長さ）１０７ｃｍおよび重量４ｋｇからなり、中空円筒形状の本体ケース３を備えており、この本体ケース３内の下部には自動レベリング機能５が設けられている。この自動レベリング機能５はレベリングプレート７を備え、このレベリングプレート７上に気泡式センサ９が設けられている。前記レベリングプレート７は複数のモータＭを駆動せしめることにより自動レベリングが行われる。また、前記気泡式センサ９の近傍上方には温度計１１が設けられている。
【００３４】
前記本体ケース３内における自動レベリング機能５の上方には信号増幅器、アナログ／デジタル変換部１３が設けられ、この信号増幅器、アナログ／デジタル変換部１３の上方にはメモリ、データ転送部１５が設けられている。さらに、前記本体ケース３内におけるメモリ、データ転送部１５上方にはコンパス等からなる方位計１７が設けられている。前記本体ケース３の上部には本体ケース３をワイヤ１９で吊す引っかけ部２１が設けられている。なお、前記気泡式センサ９で傾斜を測定する原理はすでに公知であるため、詳細な説明を省略する。
【００３５】
上記構成により、信号増幅器、アナログ／デジタル変換部１３には１ナノラジアンの分解能を有しているから、地球潮汐の影響による傾斜変化の非常に小さな傾斜変化をとらえることができる。前記本体ケース３内にはコンパス等からなる方位計１７が設けられているから、深い坑井内に設置する際に、気泡式センサ９の方位を合わせる必要が無く設置を容易に行うことができる。信号増幅器、アナログ／デジタル変換部１３におけるアナログアンプの増幅率は通信ケーブルを通してパソコンを用いて変更可能であるため、増幅率変化のために傾斜計の設置し直しする必要がない。
【００３６】
気泡式センサ９の出力電位は、本体ケース３内の信号増幅器、アナログ／デジタル変換部１３で変換するためノイズに強い。本体ケース３内には温度計１１が設けられているから、気泡式センサ９の出力の温度補正をするための情報を知ることが出来る。また、消費電力は平均２８０ｍＷと小さいので、小型ソーラパネルと小型バッテリの使用で長期間の連続観測が可能である。
【００３７】
つぎに、傾斜計１の設置方法およびその設置構造について説明する。
【００３８】
図１を参照するに、地表面３１から地下へ例えば設置深度１２ｍの観測孔３３を掘削せしめ、この掘削された観測孔３３内に、φ３インチ（７．６ｃｍ）の塩ビ・スリップキャップからなる下蓋３５を装着した樹脂製の例えば塩ビパイプ等からなる上下方向へ延伸し貫通した中空形状のφ３インチ（７．６ｃｍ）×長さ２０フィート（６．１ｍ）を２本接着したインナケーシング３７を挿入せしめる。
【００３９】
ついで、前記観測孔３３の内周とインナケーシング３７の外周との間に地表面３１からコンクリート３９を流し込み、地表面１０１より低い位置まで流し込む。なお、コンクリート３９は前記下蓋３５の下まで流し込まれる。前記コンクリート３９を流し込む際にインナケーシング３７が動いて観測孔３３の側部に偏らないようにするために、ダートをインナケーシング３７の周囲に少量投入してインナケーシング３７の位置を固定させる。前記コンクリート３９としては適度の流下のためにウエットサンドのコンクリートを使用するのが好ましい。しかも、地表面３１から深度４フィート（１．２ｍ）の所に達するまでコンクリート３９を流すのがよい。
【００４０】
そして、コンクリート３９が固まったら、インナケーシング３７内に平均粒径０．３ｍｍの僅かな乾燥硅砂４１を充填せしめた状態で例えばワイヤ１９などで傾斜計１を吊り下げながら降下せしめて前記乾燥硅砂４１上に傾斜計１を吊り降ろす。この状態で乾燥硅砂４１を傾斜計１の高さの半分ないし５分の４程度（本実施の形態では約５分の４）の位置まで流し込んで充填せしめる。
【００４１】
前記コンクリート３９の上面にダート４３を６インチ（１５．２ｃｍ）程投入する。この状態で突出されたインナケーシング３７の上面に、このインナケーシング３７より大きな樹脂製の例えば塩ビパイプ等からなる上下方向へ延伸し貫通した中空形状のφ６インチ（１５．２ｃｍ）×長さ６フィート（１．８ｍ）の上下方向へ貫通した中空形状のアウタケーシング４５を被せると共にこのアウタケーシング４５の下端部がコンクリート３９の上面に投入したダート４３層の上面にうずまるまで押下せしめる。
【００４２】
前記ダート４３はアウタケーシング４５の底端部とコンクリート３９の上面との間のバリヤとして作用させるものである。前記ダート４３を介在させることで、アウタケーシング４５がインナケーシング３７およびコンクリート３９と直に結合しないようにする。これは、アウタケーシング４５によって伝達される地表面ノイズがインナケーシング３７に伝わらないようにするためである。
【００４３】
前記アウタケーシング４５の上端を地表面３１より突出させ、この突出されたアウタケーシング４５内にバッテリ４７を挿入せしめた後、アウタケーシング４５の上面にφ６インチ（１５．２ｃｍ）の塩ビ・スリップキャップからなる上蓋４９を被せる。しかも、前記傾斜計１とバッテリ４７、このバッテリ４７と地上に設けられたソーラパネル５１とはケーブル５３で接続されている。
【００４５】
上記構成により、観測孔３３の底から地表面３１より低い位置までに、前記観測孔３３の底および観測孔３３の内周と前記インナケーシング３７の外周との間にコンクリート３９をセメンチングし、地表面３１の上面までコンクリート３９をセメンチングせずに、空気の層を作ると共に、インナケーシング３７にアウタケーシング４５を被せて二重管にすることによって、気温変化におけるインナケーシング３７の伸び縮みを小さくし、傾斜計１にノイズを与えずに、気温変化を傾斜データに影響を与えないで正確な傾斜データを得ることができる。
【００４６】
傾斜計１が１ナノラジアンの分解能と、鉛直から±１０度の測定レンジを持つ自動レベリング機能５と、温度計１１と、を備えているから、地球潮汐の影響による傾斜変化の非常に小さな傾斜変化をとらえることができる。また、傾斜計１をシビアに設置しなくても、鉛直から±１０度の範囲の傾斜を正確に測定することができる。さらに、センサ出力の温度補正をするための情報を得ることができる。
【００４７】
インナケーシング３７、アウタケーシング４５がそれぞれ樹脂製のパイプからなっているから、地球磁場が容易に遮断され、耐腐食性を良好にすることができるとともに、軽いから作業性を良好にすることができる。
【００４８】
また、乾燥硅砂４１を前記傾斜計１の下端から長さの約半分程度まで充填せしめても、確実に傾斜計１を固定することができると共に、回収を容易に行うことができる。
【００４９】
外部に設置されたソーラパネル５１よりバッテリ４７が充電されると共に、バッテリ４７により傾斜計１が自動的に作動し傾斜データを測定することができる。而して、電源装置がない例えば山奥等であっても設置して使用することができる。
【００５０】
観測孔３３が深度１２ｍ程度に掘削され、この観測孔３３の底に傾斜計１を設置することにより、センサは地温の季節変動をほとんど受けずに、より一層正確な傾斜データを測定することができる。
【００５１】
なお、この発明は、前述した発明の実施の形態に限定されることなく、適宜な変更を行うことにより、その他の態様で実施し得るものである。
【００５２】
【発明の効果】
以上のごとき発明の実施の形態の説明より理解されるように、請求項１の発明によれば、観測孔の底から地表面より低い位置までに、前記観測孔の底および観測孔の内周と前記インナケーシングの外周との間にコンクリートをセメンチングし、地表面の上面までコンクリートをセメンチングせずに、空気の層を作ると共に、インナケーシングにアウタケーシングを被せて二重管にすることによって、気温変化におけるインナケーシングの伸び縮みを小さくし、傾斜計にノイズを与えずに、気温変化を傾斜データに影響を与えないで正確な傾斜データを得ることができる。
【００５３】
請求項２の発明によれば、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化をとらえることができる。また、傾斜計をシビアに設置しなくても、鉛直から±１０度の範囲の傾斜を正確に測定することができる。さらに、センサ出力の温度補正をするための情報を得ることができる。
【００５４】
請求項３の発明によれば、インナケーシング、アウタケーシングがそれぞれ樹脂製のパイプからなっているから、地球磁場が容易に遮断され、耐腐食性を良好にすることができるとともに、軽いから作業性を良好にすることができる。
【００５５】
請求項４の発明によれば、乾燥硅砂を前記傾斜計の下端から長さの約半分ないし５分の４程度まで充填せしめることにより、確実に傾斜計を固定することができると共に、回収を容易に行うことができる。
【００５６】
請求項５の発明によれば、外部に設置されたソーラパネルよりバッテリが充電されると共に、バッテリにより傾斜計が自動的に作動し傾斜データを測定することができる。而して、電源装置がない例えば山奥等であっても設置して使用することができる。
【００５７】
請求項６の発明によれば、観測孔が深度１２ｍ程度に掘削され、この観測孔の底に傾斜計を設置することにより、センサは地温の季節変動をほとんど受けずに、より一層正確な傾斜データを測定することができる。
【００５８】
請求項７の発明によれば、観測孔の底から地表面より低い位置までに、前記観測孔の底および観測孔の内周と前記インナケーシングの外周との間にコンクリートをセメンチングし、地表面の上面までコンクリートをセメンチングせずに、空気の層を作ると共に、インナケーシングにアウタケーシングを被せて二重管にすることによって、気温変化におけるインナケーシングの伸び縮みを小さくし、傾斜計にノイズを与えずに、気温変化を傾斜データに影響を与えないで正確な傾斜データを得ることができる。
【００５９】
請求項８の発明によれば、傾斜計が１ナノラジアンの分解能と、鉛直から±１０度の測定レンジを持つ自動レベリング機能と、温度計と、を備えているから、地球潮汐の影響による傾斜変化の非常に小さな傾斜変化をとらえることができる。また、傾斜計をシビアに設置しなくても、鉛直から±１０度の範囲の傾斜を正確に測定することができる。さらに、センサ出力の温度補正をするための情報を得ることができる。
【００６０】
請求項９の発明によれば、インナケーシング、アウタケーシングがそれぞれ樹脂製のパイプからなっているから、地球磁場が容易に遮断され、耐腐食性を良好にすることができると共に、軽いから作業性を良好にすることができる。
【００６１】
請求項１０の発明によれば、外部に設置されたソーラパネルよりバッテリが充電されると共に、バッテリにより傾斜計が自動的に作動し傾斜データが測定される。而して、電源装置がない例えば山奥等であっても設置して使用することができる。
【００６２】
請求項１１の発明によれば、観測孔が深度１２ｍ程度に掘削され、この観測孔の底に傾斜計を設置することにより、センサは地温の季節変動をほとんど受けずに、より一層正確な傾斜データを測定することができる。
【図面の簡単な説明】
【図１】  この発明の傾斜計を設置する設置構造の正面断面図である。
【図２】  傾斜計の１例の断面図である。
【図３】  従来の傾斜計を設置する設置構造の正面断面図である。
【符号の説明】
１  傾斜計
３  本体ケース
５  自動レベリング機能
９  気泡式センサ
１１  温度計
１７  方位計
３１  地表面
３３  観測孔
３５  下蓋
３７  インナケーシング
３９  コンクリート
４１  乾燥硅砂
４３  ダート
４５  アウタケーシング
４７  バッテリ
４９  上蓋
５１  ソーラパネル
５３  ケーブル
【図１】
0004298872.tif 000002
【図２】
0004298872.tif 000003
【図３】
0004298872.tif 000004